(57)【要約】【課題】バスバーをモールドした後に連結片を切断してタブ端子を複数のグループに分割する。【解決手段】バスバー１３の連結片１２の切断には専用の切断装置を用いて、連結片１２に切断部１９を形成する。このとき、バスバー１３の中間部は既にバスバーホルダ１４によってモールドされているために、連結片１２が切断されてもタブ端子１１はばらばらになることはない。連結片１２に切断部１９を形成することにより、タブ端子１１を短絡群に分離できるが、特に切断部を斜め方向に切断することにより、奇数個のタブ端子１１の短絡群を得ることができる。【選択図】        図２
2005071613.tif 000002
【特許請求の範囲】
【請求項１】
１枚の導電金属板を打ち抜き折曲し連結片により複数個のタブ端子を連結したバスバーを、前記連結片を後方に露出すると共に前記タブ端子を前方に突出するようにして、前記バスバーの中間部を合成樹脂によりモールドし、前記後方に露出した連結片を切断して前記タブ端子を複数の短絡群に分割したことを特徴とするジョイントコネクタ用バスバー。
【請求項２】
前記連結片の切断は前記連結片に対し斜め方向の切断し、奇数個の前記タブ端子を得ることを含む請求項１に記載のジョイントコネクタ用バスバー。
【発明の詳細な説明】
【０００１】
【産業上の利用分野】
本発明は、相手側接続端子と接続するためのジョイントコネクタ用バスバーに関するものである。
【０００２】
【従来の技術】
ジョイントコネクタは例えば自動車のハーネス回路等において、電線の少数の母線から複数の子線に分岐・接続することができ、ワンタッチで多数の接続端子間の接続を一挙に達成する。
【０００３】
一般に、この種のジョイントコネクタでは、例えば特許文献１に記載の図６に示すように、導電金属板を打ち抜いてタブ端子１の基部を断面コ字状にしたバスバー２をバスバーハウジング３内に収容して、相手側接続端子４と嵌合するようにしている。
【０００４】
【特許文献１】
特開平８−３２１３６６号公報
【０００５】
【発明が解決しようとする課題】
しかし、上述のバスバー２は図７に示すように複数個のタブ端子１を連結片５により連結し、連結片５に対しタブ端子１を断面コ字状に屈曲し、連結片５を適宜に切断して複数組の短絡群を形成してから、合成樹脂によりバスバーハウジング３にモールドしているので、モールド成型に際して、金型内に分割したタブ端子１を配列しなければならない煩わしさがある。
【０００６】
しかも連結片５の切断に際しては、連結片５をその長手方向と直交する方向に切断するので、タブ端子１は偶数個ずつにしか短絡群として、グルーピングすることができない。
【０００７】
本発明の目的は、上述の問題を解消し、バスバーをモールドした後に連結片を切断してタブ端子を複数のグループに分割するジョイントコネクタ用バスバーを提供することにある。
【０００８】
【課題を解決するための手段】
上述の目的を達成するための本発明に係るジョイントコネクタ用バスバーは、１枚の導電金属板を打ち抜き折曲し連結片により複数個のタブ端子を連結したバスバーを、前記連結片を後方に露出すると共に前記タブ端子を前方に突出するようにして、前記バスバーの中間部を合成樹脂によりモールドし、前記後方に露出した連結片を切断して前記タブ端子を複数の短絡群に分割したことを特徴とする。
【０００９】
【発明の実施の形態】
本発明を図１〜図５に図示の実施の形態に基づいて詳細に説明する。
図１は本実施の形態のバスバーの斜視図である。図７に示すような形態の例えば１４個のタブ端子１１を連結片１２により連結したバスバー１３は、その中間部を合成樹脂のバスバーホルダ１４によりモールドされている。そして、バスバーホルダ１４の後部には窓部１５が設けられ、バスバー１３の後面の連結片１２が露出されている。またバスバーホルダ１４には、後述する接続端子を収納したジョイントコネクタハウジングに結合する場合に使用するガイド部１６、係止爪１７が設けられている。更に、バスバーホルダ１４にはタブ端子１１の種類を示し、ハウジングと合致した場合のみハウジングへの結合を可能とする複数個の規制片１８が設けられている。
【００１０】
このままの状態においては、バスバー１３の各タブ端子１１は電気的に一体となっているので、回路的に分岐するためには、タブ端子１１を分離しなければならない。
【００１１】
実施の形態においては、目的とする回路構成に従って、図２に示すようにバスバー１３の連結片１２を適宜に切断して、タブ端子１１を幾つかの短絡群に分離した上で、ジョイントコネクタハウジング２１に結合し、ハウジング２１内の図示しない接続端子にタブ端子１１を嵌合することにより、接続端子をタブ端子１１による短絡によってグルーピングする。
【００１２】
バスバー１３の連結片１２の切断には専用の切断装置を用いて、図３（ａ）〜（ｃ）に示すように連結片１２に切断部１９を形成する。このとき、バスバー１３の中間部は既にバスバーホルダ１４によってモールドされているために、連結片１２が切断されてもタブ端子１１はばらばらになることはない。
【００１３】
例えば図３（ａ）においては、バスバー１３は切断部１９ａによって６個のタブ端子１１と４個のタブ端子１１とに分けられる。また（ｂ）においては、切断部１９ｂ、１９ｃにより４個ずつの３組のタブ端子１１に分けられ、（ｃ）においては切断部１９ｄ、１９ｅ、１９ｆにより、３組の３個のタブ端子１１と５個のタブ端子１１とに分けられている。
【００１４】
このように、連結片１２に切断部１９を形成することにより、タブ端子１１を短絡群に分離できるが、特に切断部１９ｄ、１９ｆのように斜め方向に切断することにより、奇数個のタブ端子１１の短絡群を得ることができる。
【００１５】
このように形成したバスバー１３をガイド部１６を用いて、図４に示すようにジョイントコネクタハウジング２１に挿着することにより、各タブ端子１１をハウジング２１内の接続端子と嵌合する。このとき、バスバーホルダ１４に設けた規制片１８の位置により、バスバーホルダ１４は所定の形態のハウジング２１のみに嵌合することができる。また、係止爪１７はハウジング２１内の対位係止部に係止して錠止がなされ、ハウジング２１からバスバーホルダ１４は容易には外れなくなる。
【００１６】
続いて、図５に示すようにヒンジ２２を介してハウジング２１に連結されたカバー２３を、バスバー１３の後部に被せることにより、ハウジング２１への結合が完了する。
【００１７】
【発明の効果】
以上説明したように本発明に係るジョイントコネクタは、バスバーをバスバーホルダによりモールドした後に切断して、複数組の短絡群にタブ端子を分離することにより、切断後に成型する場合に比較して処理が容易となる。
【００１８】
また、バスバーの連結片を斜め方向に切断すれば、奇数個のタブ端子の短絡群を得ることができる。
【図面の簡単な説明】
【図１】バスバーの斜視図である。
【図２】バスバーをモールドした状態とジョイントコネクタハウジングの斜視図である。
【図３】バスバーを切断した状態の説明図である。
【図４】バスバーをハウジングに装着した斜視図である。
【図５】ハウジングのカバーを被着した状態の斜視図である。
【図６】従来例のバスバーを使用したジョイントコネクタの断面図である。
【図７】バスバーの斜視図である。
【符号の説明】
１１  タブ端子
１２  連結片
１３  バスバー
１４  バスバーホルダ
１５  窓部
２１  ジョイントコネクタハウジング
【図１】
2005071613.tif 000003
【図２】
2005071613.tif 000004
【図３】
2005071613.tif 000005
【図４】
2005071613.tif 000006
【図５】
2005071613.tif 000007
【図６】
2005071613.tif 000008
【図７】
2005071613.tif 000009